【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
記録及び／または再生装置に使用するための記録媒体において、
リードイン領域、データ領域、及びリードアウト領域を備える記録層と、
前記リードイン領域及びリードアウト領域のうち、少なくとも一つに設けられた欠陥管理領域と、
前記リードイン領域及びリードアウト領域のうち、少なくとも一つに設けられ、臨時欠陥情報及び前記領域中のユーザーデータのうち最後に記録されたデータのアドレスを備える臨時欠陥管理情報を備える臨時欠陥管理領域と、を備えることを特徴とする記憶媒体。
【請求項２】
記録及び／または再生装置と共に使用するための記録媒体において、
リードイン領域、データ領域及び第１外側領域を備える第１記録層と、
第２外側領域、データ領域及びリードアウト領域を備える第２記録層と、
前記リードイン領域、第１外側領域、第２外側領域及びリードアウト領域のうち、少なくとも一つに設けられた欠陥管理領域と、
前記リードイン領域、第１外側領域、第２外側領域及びリードアウト領域のうち、少なくとも一つに設けられ、欠陥管理を行うために前記記録及び／または再生装置により使用される臨時欠陥情報及び前記データ領域中のユーザーデータのうち最後に記録されたデータのアドレスと、前記記録媒体の記録防止情報と、前記記録媒体のテスト領域の位置情報とのうち、少なくとも一つを備える臨時欠陥管理情報を備える臨時欠陥管理領域と、を備えることを特徴とする記憶媒体。
【請求項３】
前記臨時欠陥管理情報は、前記記録媒体の記録防止情報及び／または前記記録媒体のテスト領域の位置情報をさらに備えることを特徴とする請求項１に記載の記憶媒体。
【請求項４】
前記データは、前記データ領域に不連続的な記録動作で記録され、
前記記録防止情報は、レコーディングオペレーションごとに記録されることを特徴とする請求項３に記載の記録媒体。
【請求項５】
前記リードイン領域及びリードアウト領域のうち少なくとも一つに設けられ、欠陥管理を行うために前記記録及び／または再生装置により使用される前記臨時欠陥情報及び臨時欠陥管理情報の位置に関する情報を含むドライブ及びディスク情報領域をさらに備えることを特徴とする請求項１に記載の記録媒体。
【請求項６】
前記臨時欠陥情報及び臨時欠陥管理情報は、データがデータ領域に記録されるレコーディングオペレーションごとに記録されることを特徴とする請求項１に記載の記録媒体。
【請求項７】
前記記録媒体は、前記欠陥管理領域及び臨時欠陥管理領域のうち、少なくとも一つを複数備えることを特徴とする請求項１に記載の記録媒体。
【請求項８】
前記ユーザーデータのうち最後に記録されたデータの前記アドレスは、前記ユーザーデータが記録された前記データ領域中の最後の物理セクタの物理セクタ番号を含むことを特徴とする請求項１に記載の記録媒体。
【請求項９】
前記臨時欠陥管理情報は、前記記録媒体の欠陥エリアを代替するために前記記録媒体の予備領域に記録された代替データの最後に記録されたユニットのアドレスをさらに含むことを特徴とする請求項１に記載の記録媒体。
【請求項１０】
前記記録媒体は追記型ディスクであることを特徴とする、請求項１に記載の記録媒体。
【請求項１１】
前記臨時欠陥管理情報は、次に記録する、前記記録媒体の予備エリアにある代替エリア位置情報をさらに含むことを特徴とする、請求項１に記載の記録媒体。
【請求項１２】
前記代替エリアの前記位置情報は、前記予備エリアにある次の使用可能予備クラスタの物理セクタ番号をさらに備えることを特徴とする、請求項１１に記載の記録媒体。
【請求項１３】
前記臨時欠陥管理エリアに最後に記録された、最後に記録された臨時欠陥情報及び最後に記録された臨時欠陥管理情報は、前記記録媒体のファイナライゼイションのために、前記欠陥管理エリアに記録されることを特徴とする、請求項１に記載の記録媒体。
【請求項１４】
前記臨時欠陥管理エリアに最後に記録された、最後に記録された臨時欠陥情報及び最後に記録された臨時欠陥管理情報は、前記記録媒体のファイナライゼイションのために、前記欠陥管理エリアに記録されることを特徴とする、請求項２に記載の記録媒体。
【請求項１５】
記録及び／または再生装置に使用するための記録媒体において、
リードインエリア、データエリア、及びリードアウトエリアを備える記録層と、
前記リードインエリア及びリードアウトエリアのうち、少なくとも一つにある欠陥管理エリアと、
前記リードインエリア及びリードアウトエリアのうち少なくとも一つにある、前記記録媒体のテストエリアの場所情報を含む臨時欠陥情報及び臨時欠陥管理情報を含む臨時欠陥管理エリアと、を備えることを特徴とする記憶媒体。
【請求項１６】
前記臨時欠陥管理エリアに最後に記録された、最後に記録された臨時欠陥情報及び最後に記録された臨時欠陥管理情報は、前記記録媒体のファイナライゼイションのために、前記欠陥管理エリアに記録されることを特徴とする、請求項１５に記載の記録媒体。
【請求項１７】
前記テストエリアは記録条件をテストするテスト可能エリアであることを特徴とする、請求項１５に記載の記録媒体。
【請求項１８】
記録及び／または再生装置に使用するための記録媒体において、
リードインエリア、データエリア、及びリードアウトエリアを備える記録層と、
前記リードインエリア及びリードアウトエリアのうち少なくとも一つにある欠陥管理エリアと、
前記リードインエリア及びリードアウトエリアのうち少なくとも一つにある、前記記録媒体の記録防止情報を含む臨時欠陥情報及び臨時欠陥管理情報を含む臨時欠陥管理エリアと、を備えることを特徴とする記憶媒体。
【請求項１９】
記録媒体と共に使用される記録及び／または再生装置において、
前記記録媒体に対してデータを記録及び／または読み出す記録／読み出し部と、
コントローラとを有し、前記コントローラは、
前記記録媒体のデータ領域の欠陥情報を、前記記録媒体に設けられた臨時欠陥管理領域に臨時欠陥情報として記録し、
前記臨時欠陥情報を管理するための管理情報を、前記臨時欠陥管理領域に臨時欠陥管理情報として記録するように前記記録／読み出し部を制御し、
前記管理情報は前記データ領域中のユーザデータの最終記録されたもののアドレスを含むことを特徴とする装置。
【請求項２０】
前記制御部は、前記記録媒体の記録防止情報及び／または前記記録媒体のテスト領域の位置情報をさらに含むように前記管理情報を記録するように前記記録／読み出し部を制御することを特徴とする請求項１９に記載の装置。
【請求項２１】
前記制御部は、
レコーディングオペレーションごとに前記臨時欠陥情報及び臨時欠陥管理情報を記録するように前記記録／読み出し部を制御することを特徴とする請求項１９に記載の装置。
【請求項２２】
前記制御部は、
レコーディングオペレーションごとにテスト位置情報及び記録防止情報のうち、少なくとも一つを前記臨時欠陥管理情報に含めて記録するように前記記録／読み出し部を制御することを特徴とする請求項１９に記載の装置。
【請求項２３】
前記制御部は、
前記記録媒体のドライブ及びディスク情報領域中の前記臨時欠陥情報及び前記臨時欠陥管理情報の位置に関する情報を記録するように、前記記録／読み出し部を制御することを特徴とする請求項１９に記載の装置。
【請求項２４】
ユーザーデータの最後に記録された部分のアドレスは、前記ユーザーデータが記録されたデータ領域の最後の物理セクタの物理セクタ番号を有することを特徴とする、請求項１９に記載の装置。
【請求項２５】
前記記録媒体はライトワンスディスクであることを特徴とする、請求項１９に記載の装置。
【請求項２６】
前記制御部は、
前記記録媒体の欠陥領域を代替する前記記録媒体のスペア領域に記録された代替データの最後に記録された部分のアドレスをさらに含む管理情報を記録するように、前記記録／読み出し部を制御することを特徴とする請求項１９に記載の装置。
【請求項２７】
前記制御部は、
次に記録すべき前記記録媒体のスペア領域に代替領域の位置情報をさらに含む前記管理情報を記録するように前記記録／読み出し部を制御することを特徴とする請求項１９に記載の装置。
【請求項２８】
前記代替領域の位置情報は、前記スペア領域の次に使用可能なスペアクラスタの物理セクタ番号を有することを特徴とする請求項２７に記載の装置。
【請求項２９】
前記制御部は、
前記記録媒体のファイナライゼイションの際、前記記録媒体の欠陥管理領域に、前記臨時欠陥管理領域に最後に記録された最後に記録された臨時欠陥情報と臨時欠陥管理情報を記録するように、前記記録／読み出し部を制御することを特徴とする請求項１９に記載の装置。
【請求項３０】
記録媒体と使用する記録及び／または再生装置であって、
前記記録媒体にデータを記録及び／または読み出しする記録／読み出し部と、
前記記録媒体の臨時欠陥管理領域に臨時欠陥情報として前記記録媒体のデータ領域中の欠陥に関する情報を記録し、
前記臨時欠陥管理領域に、臨時欠陥管理情報として、前記臨時欠陥情報を管理する管理情報であって前記記録媒体のテスト領域の位置情報を含む管理情報を記録するように、
前記記録／読み出し部を制御する制御部と、を有することを特徴とする装置。
【請求項３１】
記録媒体と使用する記録及び／または再生装置であって、
前記記録媒体にデータを記録及び／または読み出しする記録／読み出し部と、
前記記録媒体の臨時欠陥管理領域に、臨時欠陥情報として、前記記録媒体のデータ領域中の欠陥に関する情報を記録し、
前記臨時欠陥管理領域に、臨時欠陥管理情報として、前記臨時欠陥情報を管理するための管理情報であって前記記録媒体の書き込み保護情報を含む管理情報を記録するように、
前記記録／読み出し部を制御する制御部と、を有することを特徴とする装置。
【請求項３２】
記録及び／または再生装置と共に利用するための記録媒体において、
リードイン領域、
リードアウト領域、
データが記録及び／または再生され、前記リードイン領域と前記リードアウト領域との間に配置されたデータ領域と、
前記リードイン領域と前記リードアウト領域のうち、少なくとも一つに配置され、前記記録媒体の欠陥管理のために、前記記録及び／または再生装置により使用される臨時欠陥管理情報であって前記データ領域中のユーザデータの最後に記録された部分のアドレスを含む臨時欠陥管理情報を備える臨時欠陥管理領域と、を備えることを特徴とする記録媒体。
【請求項３３】
前記臨時欠陥管理領域は、
前記臨時欠陥管理情報により管理され、前記欠陥管理を行うために前記記録及び／または再生装置により使用される臨時欠陥情報を更に備えることを特徴とする請求項３２に記載の記録媒体。
【請求項３４】
前記データは、対応する記録単位に記録され、
各記録単位は、少なくとも前記記録単位に関して欠陥管理を行うために対応する一対の臨時欠陥情報及び臨時欠陥管理情報を有することを特徴とする請求項３３に記載の記録媒体。
【請求項３５】
前記リードイン領域及び前記リードアウト領域の少なくとも一方にある、前記臨時欠陥管理情報の位置に関する情報を含むドライブ及びディスク情報を更に備えることを特徴とする請求項３２に記載の記録媒体。
【請求項３６】
前記ドライブ及びディスク情報領域は、前記データ領域に記録されたデータに関する書き込み保護情報と、前記記録防止情報が、前記ディスクが記録防止されることを表せば、前記記録及び／または再生装置が前記データ領域に再び記録できるようにするために、前記記録媒体の記録防止状態を変更できるように、付加的な記録防止情報を前記記録可能領域に記録させる記録可能領域と、を備えることを特徴とする請求項３５に記載の記録媒体。
【請求項３７】
前記ドライブ及びディスク情報は、ドライブのタイプに関する情報及び記録媒体のタイプに関する情報を更に備えることを特徴とする請求項３６に記載の記録媒体。
【請求項３８】
データが記録されずに、前記記録及び／または再生装置が前記記録媒体に関するテストを行うテスト領域を更に備えることを特徴とする請求項３２に記載の記録媒体。
【請求項３９】
前記臨時欠陥管理情報は、前記データ領域に記録されたデータに関する記録防止情報を更に備えることを特徴とする請求項３２に記載の記録媒体。
【請求項４０】
前記臨時欠陥管理情報は、記録媒体のタイプに関する情報及びディスクのタイプに関する情報を更に備えることを特徴とする請求項３２に記載の記録媒体。
【請求項４１】
データが記録されずに、前記記録及び／または再生装置が前記記録媒体に関するテストを行うテスト領域を更に備え、
前記臨時欠陥管理情報は、前記テスト領域に関する情報を更に備えることを特徴とする請求項３２に記載の記録媒体。
【請求項４２】
欠陥が検出されたデータ領域の部分を代替するために、前記記録及び／または再生装置により使用され、代替データを記録するためのスペア領域を更に備え、
前記臨時欠陥管理情報は、前記スペア領域に記録された代替データの最後に記録されたアドレスを更に備えることを特徴とする請求項３２に記載の記録媒体。
【請求項４３】
欠陥が検出された前記データ領域の部分を代替するために前記記録及び／または再生装置により使用される代替データが記録されたスペア領域をさらに備え、
前記臨時欠陥管理情報は次に記録される前記スペア領域に代替領域の位置情報をさらに含めることを特徴とする請求項３２に記載の記録媒体。
【請求項４４】
前記代替領域の位置情報は、前記スペア領域中の次に使用可能なスペアクラスタの物理セクター番号を備えることを特徴とする請求項４３に記載の記録媒体。
【請求項４５】
ユーザデータの最後に記録された部分のアドレスは、前記ユーザーデータを記録された前記データ領域中の最後の物理セクタの物理セクタ番号を備えることを特徴とする請求項３２に記載の記録媒体。
【請求項４６】
前記記録媒体はライトワンスディスクであることを特徴とする請求項３２に記載の記録媒体。